(57)【特許請求の範囲】
【請求項１】
ドラム缶に廃棄物を充填してなる固形廃棄体をリパックして輸送する際に用いられる前記廃棄体をリパックする為の容器であって、
前記容器は、
容器本体と、
前記容器本体の開口を閉塞する蓋体とを具備してなり、
前記容器本体は、
胴部と底部とが接合された二体構造となっており、
前記底部底面側の内径が前記廃棄体の外径と略等しく、
前記胴部の内径が前記底部底面側の内径よりも大きく構成されてなる
ことを特徴とする廃棄体リパック容器。
【請求項２】
蓋体は、容器本体における開口の周囲に設けられた環状の掛止部に巻き締めて固定される長さの周縁部を有することを特徴とする請求項１の廃棄体リパック容器。
【請求項３】
前記容器本体の胴部は、底部に嵌合しており、前記底部と胴部とが嵌合長さを変化させて接合できるよう構成されてなることを特徴とする請求項１又は請求項２の廃棄体リパック容器。
【請求項４】
容器本体の側面には、周方向に沿って帯状のリブが形成されてなることを特徴とする請求項１〜請求項３いずれかの廃棄体リパック容器。
【請求項５】
ドラム缶に廃棄物を充填してなる固形廃棄体を修復する為の方法であって、
前記ドラム缶の上側端部及び／又は下側端部をドラム缶本体部から切り離す工程と、
端部が切り離された前記廃棄体を請求項１〜請求項４いずれかのリパック容器本体内に収納する工程と、
前記リパック容器本体と前記廃棄体との間の空隙にセメント系材料を充填し、固化させる工程と、
前記リパック容器本体に蓋体を取り付け、開口を閉塞する工程
とを具備してなることを特徴とする廃棄体の修復方法。
【請求項６】
ドラム缶に廃棄物を充填してなる固形廃棄体を修復する為の方法であって、
前記ドラム缶の上側端部を蓋板と共にドラム缶本体部から切り離す工程と、
前記蓋板を前記ドラム缶内の固化体上に載置した状態で、前記ドラム缶本体部の側壁上端を内側に折り込んで前記蓋板を再固定する工程と、
蓋板が再固定された前記廃棄体を請求項１〜請求項４いずれかのリパック容器本体内に収納する工程と、
前記リパック容器本体と前記廃棄体との間の空隙にセメント系材料を充填し、固化させる工程と、
前記リパック容器本体に蓋体を取り付け、開口を閉塞する工程
とを具備してなることを特徴とする廃棄体の修復方法。
【請求項７】
ドラム缶に廃棄物を充填してなる固形廃棄体を修復する為の方法であって、
前記ドラム缶の下側端部を内側に折り込む工程と、
下側端部が折り込まれた前記廃棄体を請求項１〜請求項４いずれかのリパック容器本体内に収納する工程と、
前記リパック容器本体と前記廃棄体との間の空隙にセメント系材料を充填し、固化させる工程と、
前記リパック容器本体に蓋体を取り付け、開口を閉塞する工程
とを具備してなることを特徴とする廃棄体の修復方法。
【請求項８】
前記リパック容器本体の開口を閉塞する工程において、蓋体は、その周縁部が前記リパック容器本体における開口の周囲に設けられた環状の掛止部に巻き締められて固定されることを特徴とする請求項５〜請求項７いずれかの廃棄体の修復方法。
【発明の詳細な説明】
【０００１】
【産業上の利用分野】
本発明は、廃棄体、特に原子力施設から排出される低レベルの放射性廃棄物をドラム缶に充填しセメントで固化してなる固形廃棄体の修復技術と、それに用いるリパック容器に関するものである。
【０００２】
【発明の背景】
現在、原子力発電所から排出される廃液などの低レベルの放射性廃棄物はドラム缶に充填され、セメントで固化されて固形廃棄体の形で発電施設内に保管されている。そして、最近に至り、前記のような放射性廃棄物固形廃棄体は地中埋設処理施設に輸送され、そこで処理されるようになった。
【０００３】
ところで、発電施設内での保管が長期間に及ぶものの中には、健全性が損なわれた場合、何らかの処理をする必要のある廃棄体も出てくる可能性がある。そこで、このような場合における対処を予め考えておく必要がある。
【０００４】
【発明の開示】
本発明の第１の目的は、健全性が損なわれた廃棄体を安全に取り扱えるよう修復できる技術を提供することである。
又、本発明の第２の目的は、廃棄体の修復が簡単、かつ、低コストで行える技術を提供することである。
【０００５】
又、本発明の第３の目的は、修復された廃棄体が既存のシステムによって運搬可能な技術を提供することである。
この本発明の第３の目的は、ドラム缶に廃棄物を充填してなる固形廃棄体をリパックして輸送する際に用いられる前記廃棄体をリパックする為の容器であって、
前記容器は、
容器本体と、
前記容器本体の開口を閉塞する蓋体とを具備してなり、
前記容器本体は、
胴部と底部とが接合された二体構造となっており、
前記底部底面側の内径が前記廃棄体の外径と略等しく、
前記胴部の内径が前記底部底面側の内径よりも大きく構成されてなる
ことを特徴とする廃棄体リパック容器によって達成される。
【０００６】
本発明の第１及び第２の目的は、ドラム缶に廃棄物を充填してなる固形廃棄体を修復する為の方法であって、
前記ドラム缶の上側端部及び／又は下側端部をドラム缶本体部から切り離す工程と、
端部が切り離された前記廃棄体を前記リパック容器本体内に収納する工程と、
前記リパック容器本体と前記廃棄体との間の空隙にセメント系材料を充填し、固化させる工程と、
前記リパック容器本体に蓋体を取り付け、開口を閉塞する工程
とを具備してなることを特徴とする廃棄体の修復方法によって達成される。
【０００７】
本発明の第１及び第２の目的は、ドラム缶に廃棄物を充填してなる固形廃棄体を修復する為の方法であって、
前記ドラム缶の上側端部を蓋板と共にドラム缶本体部から切り離す工程と、
前記蓋板を前記ドラム缶内の固化体上に載置した状態で、前記ドラム缶本体部の側壁上端を内側に折り込んで前記蓋板を再固定する工程と、
蓋板が再固定された前記廃棄体を前記リパック容器本体内に収納する工程と、
前記リパック容器本体と前記廃棄体との間の空隙にセメント系材料を充填し、固化させる工程と、
前記リパック容器本体に蓋体を取り付け、開口を閉塞する工程
とを具備してなることを特徴とする廃棄体の修復方法によっても達成される。
【０００８】
又、ドラム缶に廃棄物を充填してなる固形廃棄体を修復する為の方法であって、
前記ドラム缶の下側端部を内側に折り込む工程と、
下側端部が折り込まれた前記廃棄体を前記リパック容器本体内に収納する工程と、
前記リパック容器本体と前記廃棄体との間の空隙にセメント系材料を充填し、固化させる工程と、
前記リパック容器本体に蓋体を取り付け、開口を閉塞する工程
とを具備してなることを特徴とする廃棄体の修復方法によっても達成される。
【０００９】
即ち、本発明では、前記リパック容器の容器本体における底部底面側の内径が廃棄物充填用ドラム缶などの廃棄体の外径と略等しく、かつ、底部底面側の外径が廃棄物充填用ドラム缶などの廃棄体より厚み分程度、僅かに大きな容器に収納し、これをリパックして修復するようにしたから、健全性が損なわれた廃棄体であっても安全に取り扱うことができ、搬送作業に支障を来す恐れがない。
【００１０】
そして、廃棄体に手間の掛かる特殊な加工を施す必要がないから、修復作業は容易なものであって、しかもドラム缶と共に処理できるので、ドラム缶屑等の廃材の生成が最小限に抑えられる。更に、リパック容器の底部底面側外径と廃棄物充填用ドラム缶の外径との相違寸法は僅かなものであり、許容範囲内に収まっているので、廃棄物充填用ドラム缶の底部底面側を保持するよう構成した、このドラム缶に対応して規格化されたコンテナを使用することが可能であり、既存のシステムを利用した低コストな搬送が行える。
【００１１】
尚、上記のリパック容器において、蓋体は、容器本体における開口の周囲に設けられた環状の掛止部に巻き締めて固定される長さの周縁部を有することが好ましい。これによって、特殊な留め具が不要となり、蓋体固定作業の簡略化が図れる。
又、容器本体は、底部と、この底部に嵌合する胴部とからなり、前記底部と胴部とが嵌合長さを変化させて接合できるよう構成されてなることが好ましい。これによって、容器本体の高さ寸法調整が可能となり、容器の汎用性が向上する。
【００１２】
又、容器本体の側面には、周方向に沿って帯状のリブが形成されてなることが好ましい。これによって、容器の強度が大幅に向上し、損傷を効果的に防止できる。
又、リパック容器本体の開口を閉塞する工程において、蓋体は、その周縁部が前記リパック容器本体における開口の周囲に設けられた環状の掛止部に巻き締められて固定されることが好ましい。これによって、留め具を使用せずに蓋体の固定が可能となり、しかも留め具を使用した場合に比べ容器の上端側外径を小さくでき、コンテナに積載した際に隣接するものとの干渉による不具合が起き難い。
【００１３】
以下、本発明を実施例に基づいて詳細に説明する。
【００１４】
【実施例】
図１〜図５は本発明の第１実施例に係るもので、図１は廃棄体を収納した状態でのリパック容器の断面図、図２は図１におけるＡ部分の拡大図、図３は図１におけるＢ部分の拡大図、図４は図１におけるＣ部分の拡大図、図５は廃棄体修復作業の工程図である。
【００１５】
各図中、Ｆは低レベルの放射性廃棄物（廃液）をドラム缶に充填し、セメントで固化させてなる一次廃棄体であり、以下、修復済の廃棄体である二次廃棄体と明確に区別する場合以外は単に廃棄体と呼称する。尚、図１に示す廃棄体Ｆは上下端部が切り離されたものである。
１は廃棄体Ｆが収納されるリパック容器本体であり、このリパック容器本体１は胴部２と底部３とを接合した二体構造となっている。
【００１６】
底部３は、廃棄体Ｆの外径と略同じ内径を有する底面側部分と、胴部２の下端部を受ける径の大きな部分とから構成される。そして、図３に示す如く、胴部２が底部３に嵌め込まれており、この嵌め込み長さｌを変化させることでリパック容器本体１の高さ寸法が調整され、溶接によって固定される。尚、底部３において廃棄体Ｆの外径と略同じ内径を有する部分は、廃棄体Ｆのドラム缶に形成されたリブの位置よりも下方に存在するようにしている。
【００１７】
リパック容器本体１の側面にも廃棄体Ｆのドラム缶に形成されたものと同様の補強用のリブ４ａ，４ｂが周方向に沿って形成されている。
５はリパック容器本体１の開口を覆う蓋体であり、その周縁部５ａは従来のものより延長されており、図２に示す如く、リパック容器本体１の開口周囲に設けられた環状の掛止部６にパッキン７を介して巻き締め固定される。
【００１８】
リパック容器本体１の底板８には筒状の台部９が溶接されている。そして、底板８自体は、その周縁部を直角に折り曲げて形成された補強部１０をリパック容器本体１の内壁面に溶接することで取り付けられており、これによって必要強度が確保されている。尚、図４から判るように、リパック容器本体１の底部底面側における内径は、廃棄体Ｆの外径と殆ど等しく、間隙ｄは僅か数ｍｍ程度のものである。従って、リパック容器本体１の底面側外径についても廃棄体Ｆの外径と殆ど等しく、リパック容器本体１と廃棄体Ｆとの相違寸法は、一般的な２００リットルドラム缶をその下端部を保持して搬送するコンテナの保持部許容範囲内に収まっており、これによって既存のシステムをそのまま利用した低コストな搬送が可能となっている。
【００１９】
次に、上記リパック容器を用いた廃棄体の修復方法について、図５を用いて説明する。先ず、廃棄体Ｆにおいて斜線で示す上下端部を本体部からカッターで切り離し、端部の外径を小さなものとする。尚、必ずしも上下端部両方を切り離す必要はなく、リパック容器本体１に収納された際に底部底面側に位置する部分のみを切り離しても良い。
【００２０】
続いて、端部が切り離された廃棄体Ｆを適当な方法でリパック容器本体１内に収納する。そして、重量バランスをとる為に廃棄体Ｆとリパック容器本体１との中心合わせを行い、この後、空隙にモルタル１１を充填する。
モルタル１１の養生・固化後に、リパック容器本体１に蓋体５を被せ、その周縁部を巻き締めて固定する。これによって、一次廃棄体Ｆの修復が完了し、安全に取り扱える二次廃棄体が得られる。
【００２１】
このような修復作業を経て得られた二次廃棄体は、コンテナに積載されて、最終処分場に搬送されるのであるが、上述した如くリパック容器は既存のシステムに対応可能となっているので低コストで廃棄体の搬送が行える。又、廃棄体の修復も簡単、かつ、低コストで実施でき、放射性廃棄物の処理に大きな効果を発揮する。
【００２２】
図６〜図８は本発明の第２実施例に係るもので、図６はドラム缶の加工作業を示す工程図、図７は廃棄体修復作業の工程図、図８は廃棄体のリパック状態を示す断面図である。
尚、上記第１実施例と同様の構成要素については、同じ符号を付して説明を省略する。
【００２３】
この第２実施例の方法では、先ず廃棄体Ｆ、即ち放射性廃棄物が充填されたドラム缶の上側端部を、図６に示す如く、Ｘ−Ｘ線で蓋板１２と共に斜めに切断する。そして、切り離された蓋板１２をドラム缶内の固化体１３上に載置し、この状態でドラム缶の側壁上端１４（図７中、斜線で示す部分）を内側に折り込んで蓋板１２を再固定する。
【００２４】
このようにして高さ方向の寸法が小さなものとなった廃棄体Ｆは、反転状態でリパック容器本体１内に収納され、そして空隙にモルタル１１が充填される。
モルタル１１の養生・固化後に、リパック容器本体１に蓋体５を被せ、その周縁部を巻き締めて固定することで、一次廃棄体Ｆは図８に示す如くリパックされ、安全に取り扱える二次廃棄体となる。
【００２５】
尚、図８中、１５は廃棄体搬送用のコンテナにおける廃棄体（リパック容器）保持爪であり、この図８に示すように、本発明の廃棄体リパック容器を用いて修復された廃棄体は何ら問題なくコンテナに積載することができる。この第２実施例で示した方法を用いても、第１実施例で説明したものと同等の効果が発揮されるのは勿論であり、特にドラム缶の蓋板を再利用するので、加工に伴って排出される廃材の量を少なくできるといった効果がある。又、内容物が流動体である場合にも、これをこぼさずにリパックできるといった特長がある。
【００２６】
図９は本発明の第３実施例に係るもので、廃棄体修復作業の工程図である。尚、この第３実施例でも、第１実施例と同様の構成要素については、それと同じ符号を付し説明を省略する。
この第３実施例では、廃棄体Ｆを反転させ、巻締部１６、即ち下側端部（図９中、斜線で示す部分）を強制的に内側に折り込み廃棄体Ｆの高さ寸法を小さなものとする。
【００２７】
そして、廃棄体Ｆをリパック容器本体１内に収納し、空隙にモルタル１１を充填する。モルタル１１の養生・固化後に、リパック容器本体１に蓋体５を被せ、その周縁部を巻き締めて固定することで、一次廃棄体Ｆはリパックされ、安全に取り扱える二次廃棄体となる。
この第３実施例の方法では、ドラム缶内の固化体に触れずに作業を行えるので、特に安全性に優れており、又、ドラム缶の加工に伴って排出される廃材が極めて僅かな量であるから、処理が一層容易に行えるといった特長がある。
【００２８】
【効果】
本発明によれば、健全性が失われた廃棄体を安全に取り扱えるよう修復でき、しかもこの修復作業が簡単、かつ、低コストで行え、更には修復された廃棄体が既存のシステムによって搬送可能であり、経済性や作業性に優れる。
【図面の簡単な説明】
【図１】廃棄体を収納した状態でのリパック容器の断面図である。
【図２】図１におけるＡ部分の拡大図である。
【図３】図１におけるＢ部分の拡大図である。
【図４】図１におけるＣ部分の拡大図である。
【図５】廃棄体修復作業（第１実施例）の工程図である。
【図６】ドラム缶の加工作業を示す工程図である。
【図７】廃棄体修復作業（第２実施例）の工程図である。
【図８】廃棄体のリパック状態を示す断面図である。
【図９】廃棄体修復作業（第３実施例）の工程図である。
【符号の説明】
Ｆ              廃棄体
１              リパック容器本体
２              胴部
３              底部
４ａ，４ｂ      リブ
５              蓋体
５ａ            周縁部
１１            モルタル
【図１】
0003707564.tif 000002
【図２】
0003707564.tif 000003
【図３】
0003707564.tif 000004
【図４】
0003707564.tif 000005
【図５】
0003707564.tif 000006
【図６】
0003707564.tif 000007
【図７】
0003707564.tif 000008
【図８】
0003707564.tif 000009
【図９】
0003707564.tif 000010